(57)【要約】      （修正有）【課題】バルサ材や発泡スチロール等の多孔質材を使用し、極めて軽量でパールと同等の光沢を有するパール状装飾物を提供する。【解決手段】芯体１の表面にＰＶＡにて下地処理層２を形成する。下地処理層２の表面にセルロースにて中間塗膜層３を形成する。中間塗膜層３の表面にアクリルウレタンクリヤー入りのセルロースにてトップコート層４を形成する。芯体１はバルサ材を使用する。中間塗膜層３は無鉛顔料による塗膜層が複層構造を成す。芯体１にて、天然真珠又は養殖真珠を模した形状を構成する。【選択図】図１
0003186644.tif 000002
【実用新案登録請求の範囲】
【請求項１】
多孔質材を芯体とし、この芯体の表面にパール状の光沢が施された装飾物を形成するパール状装飾物であって、芯体の表面にＰＶＡにて形成された下地処理層と、該下地処理層の表面にセルロース及び無鉛顔料にて形成された中間塗膜層と、該中間塗膜層の表面にアクリルウレタンクリヤー入りのセルロースにて形成されたトップコート層とで構成されたことを特長とするパール状装飾物。
【請求項２】
前記中間塗膜層において、前記セルロースは、酢酸ブチル、エチル、アセトンの混合液にニトロセルロースが溶解され、前記無鉛顔料による中間塗膜層が複層構造を成すように構成された請求項１記載のパール状装飾物。
【請求項３】
前記芯体はバルサ材又は発泡スチロール材とし、前記装飾物は、天然真珠又は養殖真珠を模した形状を成す請求項１記載のパール状装飾物。
【考案の詳細な説明】
【技術分野】
【０００１】
本考案は、バルサ材や発泡スチロール等の多孔質材を使用し、極めて軽量でパールと同等の光沢を有するパール状装飾物に関するものである。
【背景技術】
【０００２】
従来、多孔質材の一種である木製の装飾物として、特許文献１に記載された天然木製装身具や、木製の数珠などがある。
【０００３】
特許文献１に記載の装飾物は、各種の天然木の木目を活かして花びらや葉などを立体的に彫刻し、これらを互いに接着して装飾物を形成するものである。
【０００４】
また、木製の数珠は、柘植、檜、正梅、黒檀、紫檀、鉄刀木、香木、沈香、白檀など、様々な種類の木材が使用されており、いずれも木目や材質の質感を損なわない塗装が施されている。
【０００５】
一方、真珠やパールと称する装飾物は、貝から採れる宝石の一種である。この真珠は、貝の体内で生成され、生体鉱物（バイオミネラル）とも呼ばれるもので、貝殻と等しい成分を有する。
【先行技術文献】
【特許文献】
【０００６】
【特許文献１】実用新案登録第３０１３９１２号公報
【考案の概要】
【考案が解決しようとする課題】
【０００７】
特許文献１に記載の天然木製装身具や木製の数珠は、いずれも木目や木材の質感を利用した装飾物になっており、木材を利用して真珠のような光沢を備えた装飾物を形成するものではなかった。
【０００８】
一方、真珠やパールと称する装飾物は、光沢や淡い色彩が好まれる宝石であるが、高価であり、しかも、貝殻と同じ成分であるから重量もある。そのため、軽量なバルサ材や発泡スチロール等に、真珠のような光沢や淡い色彩を再現することができると、極めて興趣に富んだ新たなパール状装飾物の提供が可能になる。
【０００９】
ところが、バルサ材や発泡スチロール等は多孔質材であるが故に軽量である。そのため、この多孔質材の表面に塗料を塗布すると、表面の凹凸により光沢が損なわれてしまう。しかも、多孔質内部の気泡が塗料の表面に付着するといった不都合や、材質の中に塗料が吸収されるので塗料の使用量が増大してコストが高くなり、更に乾燥までに多くの時間を要するなどといった多くの課題があった。
【００１０】
そこで本考案は、上述の課題を解消すべく案出されたもので、バルサ材や発泡スチロール等の多孔質材を使用して真珠の如き光沢や色彩を有するパール状装飾物の提供を目的とするものである。
【課題を解決するための手段】
【００１１】
上述の目的を達成すべく本考案における第１の手段は、多孔質材を芯体１とし、この芯体１の表面にパール状の光沢が施された装飾物Ｐを形成するパール状装飾物であって、芯体１の表面にＰＶＡにて形成された下地処理層２と、該下地処理層２の表面にセルロース及び無鉛顔料にて形成された中間塗膜層３と、該中間塗膜層３の表面にアクリルウレタンクリヤー入りのセルロースにて形成されたトップコート層４とで構成されたことにある。
【００１２】
第２の手段は、前記中間塗膜層３において、前記セルロースは、酢酸ブチル、エチル、アセトンの混合液にニトロセルロースが溶解され、前記無鉛顔料による中間塗膜層３が複層構造を成すように構成されたものである。
【００１３】
第３の手段において、前記芯体１はバルサ材又は発泡スチロール材とし、前記装飾物Ｐは、天然真珠又は養殖真珠を模した形状を成すものである。
【考案の効果】
【００１４】
請求項１のごとく、多孔質材を芯体１とし、この芯体１の表面にパール状の光沢が施された装飾物Ｐを形成するパール状装飾物であって、芯体１の表面にＰＶＡにて形成された下地処理層２と、該下地処理層２の表面にセルロース及び無鉛顔料にて形成された中間塗膜層３と、該中間塗膜層３の表面にアクリルウレタンクリヤー入りのセルロースにて形成されたトップコート層４とで構成したことで、多孔質材を使用して真珠の如き光沢や色彩を有するパール状装飾物を提供することに成功した。
【００１５】
請求項２のように、前記中間塗膜層３において、前記セルロースは、酢酸ブチル、エチル、アセトンの混合液にニトロセルロースが溶解され、前記無鉛顔料による中間塗膜層３が複層構造を成すように構成されたことから、多孔質材を芯体１として使用しても、真珠の如き光沢や色彩を有するパール状装飾物を形成することができる。したがって、極めて軽量で、これまでなかった趣向を有する装飾物を提供することができる。
【００１６】
請求項３のごとく、前記芯体１はバルサ材又は発泡スチロール材とし、前記装飾物Ｐは、天然真珠又は養殖真珠を模した形状を成すものであるから、極めて軽量な真珠状の装飾品を提供することが可能である。この結果、ネックレスやイヤリング、ブローチ、指輪など真珠にて形成可能な装飾品は、全て本考案の装飾物Ｐにより極めて軽量に形成することができる。
【図面の簡単な説明】
【００１７】
【図１】本考案の一実施例を示す装飾物の断面図である。
【図２】本考案の装飾物の使用例を示す正面図である。
【図３】本考案の装飾物の他の使用例を示す正面図である。
【図４】本考案の装飾物の他の使用例を示す正面図である。
【考案を実施するための形態】
【００１８】
本考案によると、バルサ材や発泡スチロール等の多孔質材を使用して真珠の如き光沢や色彩を有するパール状装飾物を提供することに成功した。
【００１９】
以下、本考案の実施例を説明する。本考案装飾物は、バルサ材や発泡スチロール等の多孔質材を使用してパール状の光沢や色彩が施された装飾物Ｐを形成したものである。すなわち、装飾物Ｐは、多孔質材を芯体１とし、この芯体１表面に、下地処理層２と中間塗膜層３とトップコート層４との三つの層が形成されている（図１参照）。
【００２０】
芯体１は、特にバルサ材を使用することで極めて軽量で加工容易な装飾物Ｐを形成することができる。また、芯体１は、発泡スチロールや、木製数珠で使用されている各種木材を使用することも可能である。この芯体１は、主に球体やブロック状などの形状に予め形成されているが、芯体１の形状は任意に変更することが可能であり、新たな形状の装飾物Ｐを形成することができる。
【００２１】
下地処理層２は、芯体１となる多孔質材内部の空洞に塗料が浸透せず、また、空洞から気泡が浮き出ないようにするために処理する層である。この下地処理層２は、ＰＶＡ混合液を塗布して乾燥させたものである。本考案のＰＶＡ混合液とは、水にＭＥＫとＰＶＡを混合し、温度、湿度によってその混合割合を調整したものである。このような水溶性の下地処理層２は、芯体１となる木材の空洞内に着色材等の侵入を防止すると共に、空洞内からの気泡の発生を防止する作用がある。
【００２２】
中間塗膜層３は、下地処理層２の表面に各種の色を施す層になっている。この中間塗膜層３は、セルロース液を塗布して乾燥させたもので、セルロース液には、酢酸ブチル、エチル、アセトンの混合液にニトロセルロースを溶解している。更に、中間塗膜層３には、無鉛のパール顔料が含まれており、この無鉛顔料による塗膜層が複層構造を成している。すなわち、中間塗膜層３の塗り上がりの色によって塗膜層も変化するもので、中間塗膜層３の塗膜層は、最低でも４〜７層構造になる。このように塗膜層を何層にも重ねることで、目的の色合いを現出させるものである。
【００２３】
トップコート層４は、表面にアクリルウレタンクリヤー入りのセルロース液を塗布して乾燥させた層である。このトップコート層４は、中間塗膜層３の表面を保護すると共に、光沢を与えることで、真珠の光沢を再現するものである。
【００２４】
このように構成された本考案装飾物Ｐにより、各種の装飾品の提供が可能になる。例えば、天然真珠又は養殖真珠を模した装飾物Ｐを形成することができる。この場合、極めて軽量な真珠状の装飾品を提供することが可能である。例えば、ネックレス（図２参照）、指輪（図３参照）、イヤリング（図４参照）、ブローチなど、真珠にて形成可能な装飾品を装飾物Ｐにて形成することができる。
【００２５】
また、本考案装飾物Ｐは、バルサ材や発泡スチロール等の加工し易い多孔質材を芯体１とするものであるから、装飾物Ｐの形状は極めて自由に設定することが可能になり、あらゆる形状の装飾物Ｐに任意の色彩や光沢を施すことも可能である。
【００２６】
尚、本考案装飾物Ｐの各層を構成する各成分は実施例に限られるものではなく、本考案の要旨を変更しない範囲で自由に変更することができる。
【符号の説明】
【００２７】
Ｐ  装飾物
１  芯体
２  下地処理層
３  中間塗膜層
４  トップコート層
【図１】
0003186644.tif 000003
【図２】
0003186644.tif 000004
【図３】
0003186644.tif 000005
【図４】
0003186644.tif 000006